(57)【特許請求の範囲】
【請求項１】
ポリエーテル、ポリエーテルアミンおよびそれらの混合物からなる群から選択される、少なくとも１０ｗｔ％のポリエーテル成分；
少なくとも２０ｗｔ％の極性溶媒であって、Ｃ１〜Ｃ１２脂肪族アルコール、Ｃ１〜Ｃ１２脂肪族アミン、（Ｃ１〜Ｃ１２アルキル）２Ｏエーテル、およびその混合物から選択される脂肪族極性溶媒を含む、極性溶媒；
少なくとも１５ｗｔ％の非極性溶媒；ならびに
アルコキシアルコールを含む機能性溶媒
を含む清浄化組成物。
【請求項２】
前記ポリエーテル成分がポリ（アルキレンオキシド）アミンを含む、請求項１に記載の組成物。
【請求項３】
前記ポリエーテルまたはポリエーテルアミンが、式Ｒ［ＯＣＨ２ＣＨ（Ｒ１）］ｎＡで表され、式中、Ｒはヒドロカルビル基であり、Ｒ１は水素およびヒドロカルビル基から選択され、Ａは窒素含有基またはヒドロキシル基であり、ｎは少なくとも１０である数である、請求項１〜２のいずれか一項に記載の組成物。
【請求項４】
Ａがアミン、エーテルアミンおよびそれらの混合物から選択される、請求項３に記載の組成物。
【請求項５】
Ａが−ＯＣＨ２ＣＨ２ＣＨ２ＮＲ２Ｒ２および−ＮＲ３Ｒ３から選択され、式中、各Ｒ２は独立に、水素、または炭素原子が１個もしくは複数個のヒドロカルビル基であり、各Ｒ３は独立に、水素、炭素原子が１個もしくは複数個のヒドロカルビル基、または−［Ｒ４（Ｒ５）］ｐＲ６（式中、Ｒ４はＣ２〜Ｃ１０アルキレンであり、Ｒ５およびＲ６は独立に、水素、または炭素原子が１個もしくは複数個のヒドロカルビル基であり、ｐは１〜７の数である）である、請求項４に記載の組成物。
【請求項６】
前記組成物における前記極性溶媒と前記非極性溶媒の重量比が、少なくとも１：５、または最大で５：１である、請求項１〜５のいずれか一項に記載の組成物。
【請求項７】
前記極性溶媒が、分枝状および非分枝状Ｃ１〜Ｃ１２脂肪族アルコール、Ｃ１〜Ｃ１２脂肪族アミン、エーテル、およびそれらの混合物から選択される脂肪族プロトン性極性溶媒を含む、請求項１〜６のいずれか一項に記載の組成物。
【請求項８】
前記極性溶媒が、エーテルおよびアミンから選択される芳香族極性溶媒を含む、請求項１〜７のいずれか一項に記載の組成物。
【請求項９】
前記非極性溶媒が芳香族非極性溶媒を含む、請求項１〜８のいずれか一項に記載の組成物。
【請求項１０】
前記非極性溶媒が、最大で２ＭＰａ１／２のハンセン溶解パラメーターδｐを有する、請求項１〜９のいずれか一項に記載の組成物。
【請求項１１】
前記極性溶媒が、少なくとも２．８ＭＰａ１／２のハンセン溶解パラメーターδｐを有する、請求項１〜１０のいずれか一項に記載の組成物。
【請求項１２】
前記アルコキシアルコールが前記組成物中に少なくとも１０ｗｔ％の濃度で存在する、請求項１〜１１のいずれか一項に記載の組成物。
【請求項１３】
前記機能性溶媒が、前記組成物の少なくとも１ｗｔ％である、請求項１〜１２のいずれか一項に記載の組成物。
【請求項１４】
少なくとも０．５ｗｔ％の水をさらに含む、請求項１〜１３のいずれか一項に記載の組成物。
【請求項１５】
内燃エンジン中の空気取り入れ弁堆積物、燃料噴射器堆積物および燃焼室堆積物のうちの少なくとも１つを除去する方法であって、請求項１〜１４のいずれか一項に記載の組成物を、空気取り入れポート、燃料噴射器および燃焼室のうちの少なくとも１つに送出する工程を包含する、方法。
【請求項１６】
燃料送出システムおよび空気取り入れシステムのうちの少なくとも１つを清浄化するための、請求項１〜１４のいずれか一項に記載の組成物の使用。
【発明の詳細な説明】
【技術分野】
【０００１】
背景
例示的実施形態は、清浄化組成物、および組成物で清浄化する方法に関する。組成物および方法は、特に、内燃エンジンの燃料送出システム、空気取り入れシステムおよび燃焼室における炭素質堆積物を除去するのに効果的である。
【背景技術】
【０００２】
内燃エンジンの燃料送出システムにおける堆積物の蓄積は、燃料経済性、出力および操縦性の低下を含む、エンジン動作に対する悪影響を及ぼす恐れがある。ガソリンエンジンにおいて、堆積物が、燃料噴射器、空気取り入れ弁、ピストン頂面およびシリンダーヘッド上に形成されるのは一般的なことである。堆積物を除去する１つのやり方は、燃料タンクに燃料添加剤組成物を添加することによるものである。燃料添加剤は、燃料がタンクに送出される前に、または別個にタンクに加えられる添加剤混合物として、燃料に添加することができる。いずれの場合も、燃料添加剤は燃料によってエンジンに送出される。例えば、米国特許出願公開第２００９００２５２８３号および同第２０１２０３１８２２５号は、堆積物の除去および制御のために設計された燃料添加剤を記載している。そうした組成物は、効果的であり得るが、しばしば作用が遅い可能性がある。したがって、相当な堆積物がすでに蓄積している場合、結果を出すのにある程度時間がかかる恐れがある。
【０００３】
堆積物は、燃料送出システム、すなわち燃料タンクの下流に直接添加される燃料システムクリーナー溶液で除去することもできる。この方法では、所定用量の清浄化溶液が、キャニスターから送出される。キャニスターは、燃料レールに取り付けられており、エンジンへの通常の燃料供給に取って代わり、空気で圧縮され、車両がアイドリングしている間に、溶液が燃料レールを通ってエンジンへ進むことができるようになっている。この過程は完了するのに約１時間かかる。米国特許出願公開第２００２０１０７１６１号、同第２００５０２２９９５２号、同第２００６０１２８５８９号、および同第２００８００１１３２７号、ならびに米国特許第５，１６１，３３６号、同第５，２５７，６０４号、同第６，０００，４１３号、同第６，６５５，３９２号、同第６，８３０，６３０号、同第６，９７８，７５３号および同第８，９２６，７６３号は、直接送出方法による、空気取り入れ弁および燃焼室清浄化のための組成物およびシステムを記載している。
【０００４】
燃焼堆積物は、空気取り入れシステムを介して、エアロゾルまたはミストもしくは霧、または同様のものによって添加される空気取り入れクリーナー溶液で除去することもできる。この適用方法は、直接噴射式エンジンにおいて、取り入れ弁堆積物を除去するのに最も効果的である。空気取り入れクリーナーは、ポート燃料噴射式エンジンにおいて適用することもできるが、このタイプのエンジンでは、取り入れ弁堆積物に対処する必要性はない。
このアプローチに伴う問題は、既存のレールクリーナー製品および空気取り入れクリーナーが、堆積物の除去においてそれほど効果的ではないという点である。この方法は特殊な装置なしでは容易に実行されないので、これは、修理工場において行われるのが一般的である。したがって、短期間での効率的な清浄化が望ましい。
【先行技術文献】
【特許文献】
【０００５】
【特許文献１】米国特許出願公開第２００９００２５２８３号明細書
【特許文献２】米国特許出願公開第２０１２０３１８２２５号明細書
【特許文献３】米国特許出願公開第２００２０１０７１６１号明細書
【特許文献４】米国特許出願公開第２００５０２２９９５２号明細書
【特許文献５】米国特許出願公開第２００６０１２８５８９号明細書
【特許文献６】米国特許出願公開第２００８００１１３２７号明細書
【特許文献７】米国特許出願公開第２０１４０２６１５５号明細書
【特許文献８】米国特許第５，１６１，３３６号明細書
【特許文献９】米国特許第５，２５７，６０４号明細書
【特許文献１０】米国特許第６，０００，４１３号明細書
【特許文献１１】米国特許第６，６５５，３９２号明細書
【特許文献１２】米国特許第６，８３０，６３０号明細書
【特許文献１３】米国特許第６，９７８，７５３号明細書
【特許文献１４】米国特許第８，９２６，７６３号明細書
【発明の概要】
【課題を解決するための手段】
【０００６】
簡単な説明
例示的実施形態の一態様によれば、燃料送出システム、取り入れ弁および燃焼室を清浄化するのに適した組成物は、少なくとも３ｗｔ％のポリエーテル成分、少なくとも５ｗｔ％の極性溶媒および少なくとも５ｗｔ％の非極性溶媒を含む。ポリエーテル成分は、ポリエーテル、ポリエーテルアミンおよびそれらの混合物からなる群から選択される。
【図面の簡単な説明】
【０００７】
【図１】図１は、例示的実施形態の一態様による、レール清浄化および／または空気取り入れ組成物を燃料システムへ送出するための装置を例示する図である。
【０００８】
【図２】図２は、レールおよび／または空気取り入れシステム清浄化組成物を使用するポート燃料噴射式（ＰＦＩ）システムを例示する図である。
【０００９】
【図３】図３は、レールおよび／または空気取り入れシステム清浄化組成物を使用する直接噴射システムを例示する図である。
【発明を実施するための形態】
【００１０】
詳細な説明
例示的実施形態の一態様では、燃料システムを清浄化するための単一相組成物を提供する。組成物は、燃料噴射器、空気取り入れ弁、ピストン頂面およびシリンダーヘッド、スパークプラグを含む燃料送出および／または空気取り入れシステム、ならびに清浄化組成物と接触している他のすべての表面から堆積物を除去するのに効果的である。組成物は、内燃エンジンの燃料システムへ直接、空気取り入れポート中へ、エンジンに直接、あるいは、同時かまたは順繰りでの送出経路の組合せによって導入することができる。比較試験では、例示的な配合物は、燃焼過程の間に発生した堆積物を除去するための既存の製品を凌ぐ改善された性能を示した。同じ清浄化組成物を、異なる送出経路のそれぞれのために使用することができるか、あるいは、清浄化組成物を、特定の送出経路のために調整することができる。
【００１１】
本明細書で使用される、空気取り入れ清浄化は、空気取り入れポートだけを介した清浄化組成物の送出を指し、これは、直接噴射式エンジンに特に適している。したがって、「空気取り入れ清浄化組成物」は、空気取り入れポートからエンジンを通って通過するときに、弁および燃焼室を清浄化する。本明細書で使用される、レール清浄化は、燃料噴射ポートを介した清浄化を指す。空気取り入れ清浄化組成物と同様に、レール清浄化組成物は、燃料噴射ポートから空気取り入れポート中へ、そしてエンジンを通って通過するときに弁および燃焼室を清浄化する。
【００１２】
清浄化組成物は、ポリエーテルおよびポリエーテルアミンのうちの少なくとも１つからなるポリエーテル成分を含む。清浄化組成物は極性溶媒および非極性溶媒も含む。組成物は、機能性溶媒、清浄剤／分散剤、腐食防止剤およびエアロゾル噴射剤のうちの少なくとも１つをさらに含むことができる。
【００１３】
極性溶媒および非極性溶媒は、集合的に可燃性溶媒と称される。「可燃性」とは、溶媒が、通常のエンジン動作条件下の燃焼室内で発火し得ることを意味する。例えば、可燃性溶媒の混合物は、最大で４０℃、例えば最高で３０℃の引火点を有する。可燃性溶媒は燃料特性を提供するが、それらは、組成物中の成分の残りのものを安定化させる役割も果たし、それら自体で清浄化特性を提供することができる。
【００１４】
組成物におけるポリエーテル成分と全可燃性溶媒の重量比は、少なくとも１：１２、例えば少なくとも１：１０、または少なくとも１：８、または少なくとも１：６であってよい。比は、最大で１：１．５、または最大で１：２、または最大で１：３、または最大で１：４であってよい。
【００１５】
予想外に、清浄化組成物は、その希釈されていない形態で（すなわち、追加された燃料、例えばガソリンなしで）、合わせて組成物の最大で６５ｗｔ％、または最大で６０ｗｔ％、または最大で５０ｗｔ％、または最大で４０ｗｔ％、一部の実施形態では、組成物の少なくとも２０ｗｔ％、または少なくとも２５ｗｔ％、または少なくとも３０ｗｔ％、または少なくとも３５ｗｔ％で存在し得る、高濃度のポリエーテル成分および任意選択の他の添加剤を含んでいても、燃焼を維持することができる。
【００１６】
可燃性溶媒
可燃性溶媒は、合わせて、組成物の最大で９０ｗｔ％、または最大で８０ｗｔ％、または最大で７５ｗｔ％、または最大で７０ｗｔ％、または最大で６０ｗｔ％、または最大で５５ｗｔ％、または最大で５０ｗｔ％、一部の実施形態では、組成物の少なくとも３０ｗｔ％、または少なくとも３５ｗｔ％、または少なくとも４０ｗｔ％、または少なくとも４５ｗｔ％を占めることができる。組成物における極性溶媒と非極性溶媒の重量比は、少なくとも１：５、例えば少なくとも１：４、または少なくとも１：３、または少なくとも１：２であってよい。比は、最大で５：１、または最大で４：１、または最大で３：１、または最大で２：１であってよい。一部の実施形態では、比は約１：１である。
【００１７】
極性溶媒は、脂肪族極性溶媒、芳香族極性溶媒およびそれらの混合物から選択される。
【００１８】
一実施形態では、極性溶媒は、脂肪族極性溶媒（単数または複数）を含むか、またはそれらからなる。極性溶媒として有用な適切な脂肪族極性溶媒は、アルコールおよびアミンなどの脂肪族極性プロトン性溶媒、ならびにエーテルなどの脂肪族極性非プロトン性溶媒を含む、あるいはそれらから本質的になる。
【００１９】
脂肪族極性溶媒として適切な例示的なアルコールおよびアミンには、Ｃ１〜Ｃ１２脂肪族鎖、例えばＣ１〜Ｃ８もしくはＣ２〜Ｃ４脂肪族アルコールまたはアミンが含まれる。例には、エタノール、２−プロパノール、１−プロパノール、１−ブタノールおよびそれらの混合物が含まれる。アルコールまたはアミンの炭素鎖は、分枝状であっても非分枝状であってもよく、ヘテロ原子（酸素または窒素）は、ノルマル、イソ、ｓｅｃまたはｔｅｒｔの位置であってよい。アミンは、一級、二級または三級の環式または非環式アミンであってよく、それには、脂肪族および／または芳香族基が含まれ得る。適切なアミンの例には、トリメチルアミン、ジブチルアミン、ヘキサミンオレイルアミン、モルホリン、メチルモルホリン、ピロリジン、ピペリジン、メチルピペリジンならびにそれらの塩および混合物が含まれる。
【００２０】
例示的な脂肪族エーテルには、（Ｃ１〜Ｃ１２アルキル）２Ｏエーテルが含まれ、それらは、環式もしくは非環式または直鎖状もしくは分枝状置換基を有していてよく、またそのエーテル官能基は環構造内に含まれていてよい。適切なエーテルの例には、テトラヒドロフラン、ジメチルエーテル、メチルエチルエーテル、ジエチルエーテルおよびジイソプロピルエーテルが含まれる。
【００２１】
一実施形態では、極性溶媒は、芳香族極性溶媒（単数または複数）を含むか、またはそれらからなる。極性溶媒として有用な適切な芳香族極性溶媒は、アルコールおよびアミンなどの芳香族極性プロトン性溶媒ならびにエーテルなどの芳香族極性非プロトン性溶媒を含むあるいはそれらから本質的になる。芳香族極性溶媒の例には、ベンジルアルコール、ジフェニルアミン、フェニレンジアミン、ベンジルアミンおよびそれらの混合物が含まれる。
【００２２】
一部の実施形態では、脂肪族極性溶媒は、組成物中の全極性溶媒の少なくとも１０ｗｔ％、または少なくとも１５ｗｔ％、または少なくとも２０ｗｔ％、または少なくとも５０ｗｔ％、または少なくとも７０ｗｔ％、または少なくとも８０ｗｔ％、または少なくとも９０ｗｔ％、あるいは最大で１００％であってよい。
【００２３】
全体で、極性溶媒は、組成物の最大で６０ｗｔ％、例えば少なくとも５ｗｔ％、または少なくとも１０ｗｔ％、または少なくとも１５ｗｔ％、または少なくとも２０ｗｔ％、一部の実施形態では、組成物の最大で５０ｗｔ％、または最大で４０ｗｔ％、または最大で３５ｗｔ％、または最大で３０ｗｔ％、または最大で２７ｗｔ％存在してよい。
【００２４】
アルコール極性溶媒とアミン極性溶媒の比は２：１〜６：１であってよい。
【００２５】
アルコール官能基を有するアミンは以下で腐食防止剤として論じられ、したがって極性溶媒とは見なされないことに留意すべきである。
【００２６】
例示的な非極性溶媒は、芳香族非極性溶媒、脂肪族非極性溶媒およびそれらの混合物から選択される。
【００２７】
一実施形態では、非極性溶媒は、芳香族非極性溶媒、特に芳香族炭化水素（すなわち、炭素と水素だけからなる）を含む、あるいはそれらから本質的に（少なくとも８０ｗｔ％）なる。本明細書で非極性溶媒として有用な例示的非極性芳香族炭化水素には、Ｃ１〜Ｃ４アルキル置換ベンゼンなどの単環式芳香族炭化水素、例えばトルエン、キシレン（ジメチルベンゼンの１，２−、１，３−および１，４−異性体のうちの１つまたは複数）、トリメチルベンゼン（トリメチルベンゼンの１，２，３−、１，２，４−および１，３，５−異性体のうちの１つまたは複数）、エチルベンゼンおよびそれらの混合物が含まれる。Ｃ８〜Ｃ１１芳香族溶媒の適切な混合物には、芳香族石油蒸留物、例えば、Ｅｘｘｏｎ  Ｍｏｂｉｌ  Ｃｈｅｍｉｃａｌ  Ｃｏ．、Ｎｅｗ  Ｍｉｌｆｏｒｄ、Ｃｏｎｎから市販されているＡｒｏｍａｔｉｃ１００（商標）（Ｃ８〜Ｃ１０、主にＣ９、支配的にトリメチルベンゼンの異性体（５％未満のキシレン））およびＡｒｏｍａｔｉｃ１５０（商標）（Ｃ９〜Ｃ１１、主にＣ１０）が含まれる。
【００２８】
その他には芳香族石油ナフサおよび芳香族含有石油蒸留物が含まれる。
【００２９】
一実施形態では、非極性溶媒は、１つまたは複数の脂肪族（脂環式を含む）非極性溶媒を含む。例には、Ｃ５〜Ｃ１８の直鎖状、分枝状および環状の炭化水素、例えばペンタン、シクロペンタン、ヘキサン、シクロヘキサン、ヘプタン、オクタンおよびイソオクタンならびにより高級な炭素含有水素処理蒸留物が含まれる。その他には石油ナフサの脂肪族成分が含まれる。
【００３０】
一部の実施形態では、芳香族非極性溶媒は、組成物中の全非極性溶媒の少なくとも１０ｗｔ％、または少なくとも１５ｗｔ％、または少なくとも２０ｗｔ％、または少なくとも５０ｗｔ％、または少なくとも７０ｗｔ％、または少なくとも８０ｗｔ％、または少なくとも９０ｗｔ％、あるいは最大で１００％であってよい。
【００３１】
全体で、非極性溶媒は、組成物の最大で６５ｗｔ％、例えば少なくとも５ｗｔ％、または少なくとも１０ｗｔ％、または少なくとも１５ｗｔ％、または少なくとも２０ｗｔ％、一部の実施形態では、最大で５０ｗｔ％、または最大で４５ｗｔ％、または最大で４０ｗｔ％、または最大で３５ｗｔ％、または最大で３０ｗｔ％、または最大で２７ｗｔ％存在してよい。全体で、ポリエーテル成分、極性溶媒および非極性溶媒は、組成物の少なくとも６０ｗｔ％、または少なくとも７０ｗｔ％、または少なくとも７５ｗｔ％、あるいは最大で９５ｗｔ％、または最大で９０ｗｔ％、または最大で８５ｗｔ％であってよい。
【００３２】
組成物の極性溶媒成分および非極性溶媒成分は、それらの溶解性または極性に関して定義することもできる。ハンセン溶解成分方法（Hansen  solubility  component  method）の要約が、Hansen、「The  Three  Dimensional  Solubility  Parameter-Key  to  Paint  Component  Affinities」、J.  Paint  Technol.、３９巻、５０５号（１９６７年２月）（以下「Ｈａｎｓｅｎ」）に報告されており、これは、Hoy、「Tables  of  Solubility  Parameters」、Union  Carbide  Corporation,  Chemical  and  Plastics  R&D  Dept,  Tarrytown,  N.Y.（１９７５年５月１６日）に報告されている方法を使用して計算することができる。Barton、Handbook  of  Solubility  Parameters、CRC  Press（１９８３年）も参照されたい。
【００３３】
極性溶媒について、ハンセン溶解パラメーターδｐ（これは分子間の双極性分子間力からのエネルギーの尺度である）は、少なくとも２．８ＭＰａ１／２、または少なくとも３、または少なくとも４、または少なくとも５、または少なくとも６ＭＰａ１／２であってよく、最大で１３ＭＰａ１／２、または最大で１２ＭＰａ１／２であってよい。
【００３４】
非極性溶媒について、ハンセン溶解パラメーターδｐは、０から最大で３、または最大で２、または最大で１．５、または最大で１．４、または最大で１．２、または最大で１．０ＭＰａ１／２であってよい。
【００３５】
ポリエーテル成分
例示的なポリエーテル成分は、２つまたはそれ超のエーテル基および任意選択の少なくとも１つの一級、二級または三級アミノ基であってよいアミノ基を有する化合物である。
【００３６】
一実施形態では、ポリエーテルおよび／またはポリエーテルアミンは式Ｒ［ＯＣＨ２ＣＨ（Ｒ１）］ｎＡで表され、式中、Ｒはヒドロカルビル基であり、Ｒ１は水素またはヒドロカルビル基であり、ポリエーテルアミンの場合、Ａは窒素含有基であり、あるいは、ポリエーテルの場合、Ａはヒドロキシル基（ＯＨ）であり、ｎは少なくとも２の数である。
【００３７】
Ｒは、少なくとも１個、または少なくとも３個、または少なくとも６個、または少なくとも８個の炭素原子を有するヒドロカルビル基であってよく、最大で３０個の炭素原子、または最大で２４個の炭素原子、または最大で２０個の炭素原子であってよい。Ｒは、アルコール、アルキルフェノールまたはそれらの混合物から誘導することができ、混合物は、２つもしくはそれ超のアルコール、２つもしくはそれ超のアルキルフェノール、または１つもしくは複数のアルコールおよび１つもしくは複数のアルキルフェノールの混合物であってよい。アルコールは、直鎖状、分枝状またはそれらの混合物であってよい。
【００３８】
Ｒ１は、水素、あるいは、炭素原子が１〜１６個、または最大で１４個、または最大で８個のアルキル基などの、例えばメチル、エチルおよびそれらの混合物から選択される、ヒドロカルビル基であってよい。一実施形態では、アルキレンオキシドは、２〜１８個の炭素原子、例えば２個（エチレン）、３個（プロピレン）もしくは４個（ブチレン）の炭素原子を有しまたはそれらの混合物を有する。一部の実施形態では、アルキレンオキシド基のごく一部、例えば３０％未満（数で）、または２０％未満、または１０％未満は、エチレンオキシド（すなわち、Ｒ１＝Ｈ）である。他の実施形態では、アルキレンオキシド基の２％以下、または１％以下はエチレンオキシドである。
【００３９】
ポリエーテルアミン／ポリエーテルの式中のアルキレンオキシド基の数ｎは、少なくとも１０、または少なくとも１６、または少なくとも１８であってよく、最大で５０、または最大で３８、または最大で２８、または最大で２６、または最大で２４であってよい。
【００４０】
ポリエーテルアミンの式中のＡは、アミン、エーテルアミンおよびそれらの混合物から選択することができる。適切なアミンおよびエーテルアミンには、式−ＯＣＨ２ＣＨ２ＣＨ２ＮＲ２Ｒ２および−ＮＲ３Ｒ３（式中、各Ｒ２は独立に、水素、または炭素原子が１個もしくは複数個のヒドロカルビル基であり、各Ｒ３は独立に、水素、炭素原子が１個もしくは複数個のヒドロカルビル基、または−［Ｒ４（Ｒ５）］ｐＲ６（式中、Ｒ４はＣ２〜Ｃ１０アルキレンであり、Ｒ５およびＲ６は独立に、水素、または炭素原子が１個もしくは複数個のヒドロカルビル基であり、ｐは１〜７の数である）である）のものが含まれる。
【００４１】
ポリエーテルアミンは、一般形ＲＯ［ＣＨ２ＣＨ（Ｒ１）Ｏ］ｎＨ（Ｒ、Ｒ１およびｎは上記の通りである）のポリエーテル中間体から誘導することができる。ポリエーテル中間体は、例えば米国特許第５，０９４，６６７号に記載されているように、塩基触媒反応で、アルコールおよび／またはアルキルフェノールを１つまたは複数のアルキレンオキシドと縮合させることによって形成させることができる。アルコールおよび／またはアルキルフェノールとアルキレンオキシドの比は、１：２〜１：５０であってよく、一部の実施形態では、少なくとも１：１０、または少なくとも１：１６、または少なくとも１：１８、あるいは最大で１：３８、または最大で１：２８、または最大で１：２６であってよい。
【００４２】
ポリエーテル中間体は、例えば欧州特許第０３１０８７５号に記載されているようにして、ポリエーテル中間体のアミン、アンモニアまたはポリアミンとの直接アミノ化反応によって、上記したようなＡが−ＮＲ３Ｒ３であるポリエーテルアミンに転換させることができる。ポリエーテル中間体は、例えば米国特許第５，０９４，６６７号に記載されているようにして、アクリロニトリルと反応させ、続いて水素化することによって、Ａが−ＯＣＨ２ＣＨ２ＣＨ２ＮＲ２Ｒ２であるポリエーテルアミンに転換させることができる。一実施形態では、ポリエーテル中間体は、ポリエーテル中間体をアクリロニトリルと反応させ、シアノエチル化された中間体（次いでこれを水素化してポリエーテルアミンを生成させることができる）を生成させることによって、Ａが−ＯＣＨ２ＣＨ２ＣＨ２ＮＨ２であるポリエーテルアミンに転換させることができる。
【００４３】
適切なポリエーテルアミンには、Ａが−ＯＣＨ２ＣＨ２ＣＨ２ＮＨ２であるものが含まれる。
【００４４】
ポリエーテルアミンおよび／またはポリエーテルは、少なくとも３００、または少なくとも３５０、または少なくとも４００、または少なくとも４５０、または少なくとも１０００の数平均分子量を有していてよく、一部の実施形態では、数平均分子量は最大で５０００、または最大で３５００、または最大で２５００、または最大で２０００であってよい。ポリエーテルアミンは、ＣｈｅｖｒｏｎからＴｅｃｈｒｏｎ（商標）シリーズで、およびＨｕｎｔｓｍａｎからＪｅｆｆａｍｉｎｅ（商標）シリーズで市販されている。ポリエーテルアミンの混合物を使用することができる。
【００４５】
ポリエーテルアミン／ポリエーテルの例には、ｎが２０〜２４であり、ＲがＣ８〜Ｃ２０の鎖である、ブチレンオキシドベースのポリエーテルアミン／ポリエーテルおよびプロピレンオキシドベースのポリエーテルアミン／ポリエーテルが含まれる。
【００４６】
一部の実施形態では、ポリエーテルアミンは堆積物制御添加剤として機能することができる。
【００４７】
ポリエーテル成分は、組成物中に、少なくとも３ｗｔ％、例えば少なくとも４ｗｔ％、または少なくとも５ｗｔ％、または少なくとも６ｗｔ％、または少なくとも８ｗｔ％、または少なくとも１０ｗｔ％、または少なくとも１１ｗｔ％、または少なくとも１５ｗｔ％の濃度で存在することができ、一部の実施形態では、最大で４０ｗｔ％、または最大で２７ｗｔ％、または最大で２５ｗｔ％、または最大で２３ｗｔ％、または最大で２１ｗｔ％存在することができる。
【００４８】
一部の実施形態では、ポリエーテル成分の少なくとも２０ｗｔ％、または少なくとも５０ｗｔ％、または少なくとも７０ｗｔ％、または少なくとも９０ｗｔ％、または少なくとも９９ｗｔ％、または１００ｗｔ％はポリエーテルアミンである。
【００４９】
機能性溶媒
１つまたは複数の機能性溶媒が、任意選択で組成物中に存在する。本開示のためには、機能性溶媒は、上記したような非極性溶媒にも極性溶媒にも分類せず、逆もまた同様である。適切な機能性溶媒には、グリコール、ケトン、アミド、環状アミド、エステルまたはアセテート、および官能基の組合せを有するものが含まれる。
【００５０】
例示的なグリコールには、ジエチレングリコールジアルキルエーテル、ジプロピレングリコール、ブチルグリコール（ブチルセロソルブとしても公知である）、２−メチル−２，４−ペンタンジオール、エチレングリコール、プロピレングリコールおよびそれらの混合物が含まれる。
【００５１】
例示的なケトンには、メチルエチルケトン、アセトン、シクロヘキサノンおよびそれらの混合物が含まれる。一部の実施形態では、組成物は、少なくとも１ｗｔ％、または少なくとも２ｗｔ％のケトン（単数または複数）、一部の実施形態では、最大で１０ｗｔ％、または最大で５ｗｔ％のケトン（単数または複数）を含む。
【００５２】
例示的なアミドには、一級、二級および三級アミド、ならびにピロリドンなどのラクタムを含む環状アミドが含まれる。例示的なアミドには、Ｎ，Ｎ−ジメチルホルムアミドおよびＮ，Ｎ−ジメチルアセトアミドならびにそれらの混合物が含まれる。例示的なピロリドンには、２−ピロリドン、１−メチル−２−ピロリドンおよび１−エチル−２−ピロリドン、１−エテニル−２−ピロリジノン、１−プロピル−２−ピロリジノン、および１−シクロヘキシル−２−ピロリドンならびにそれらの混合物が含まれる。一部の実施形態では、組成物は、少なくとも１ｗｔ％、または少なくとも２ｗｔ％の環状アミド（単数または複数）、一部の実施形態では、最大で１０ｗｔ％、または最大で５ｗｔ％のアミド（単数または複数）を含む。
【００５３】
例示的なエステルおよびアセテートには、アルキルアセテート、例えばＣ３〜Ｃ８アルキルアセテート、例えば酢酸エチルおよび酢酸ｎ−プロピルが含まれる。一部の実施形態では、組成物は、少なくとも１ｗｔ％、または少なくとも２ｗｔ％、または少なくとも５ｗｔ％のエステルまたはアセテート（単数または複数）、一部の実施形態では、最大で２０ｗｔ％、または最大で１５ｗｔ％のエステルまたはアセテート（単数または複数）を含む。
【００５４】
他の例示的な機能性溶媒には、同じ分子上にエーテル官能基とアルコール官能基の両方を有し、最大で２００の分子量を有し得るものが含まれる。例には、アルコキシアルコール、例えばブチルセロソルブ（２−ブトキシエタノール）およびエトキシプロパノールが含まれる。一部の実施形態では、組成物は、少なくとも１ｗｔ％、または少なくとも２ｗｔ％、または少なくとも５ｗｔ％、または少なくとも１０ｗｔ％のアルコキシアルコール（単数または複数）、一部の実施形態では、最大で２０ｗｔ％、または最大で１７ｗｔ％、または最大で１５ｗｔ％のアルコキシアルコール（単数または複数）を含む。
【００５５】
そうした機能性溶媒の混合物を使用することができる。
【００５６】
使用する場合、機能性溶媒は、組成物中に、１〜４０ｗｔ％、例えば少なくとも２ｗｔ％、または少なくとも３ｗｔ％、または少なくとも５ｗｔ％、または少なくとも８ｗｔ％、または少なくとも１０ｗｔ％の総濃度で存在することができ、最大で３０ｗｔ％、または最大で２５ｗｔ％、または最大で２０ｗｔ％、または最大で１５ｗｔ％であってよい。機能性溶媒は、可燃性溶媒の両方の中に少なくとも１０重量部の機能性溶媒の溶解度を有する。
【００５７】
水
一部の実施形態では、水が組成物中に存在する。使用する場合、水は、水が独立した層を形成しない程度に十分低く、その結果、清浄化組成物が、室温（１５〜２０℃）で単一の相であり、いくつかの場合、０℃という低い温度で単一の相で留まる濃度で存在し得る。アルコールまたは他の構成要素との共沸組合せである水は、組成物の水分含量の一部とみなされるものとする。一例として、水は、組成物の最大で１０ｗｔ％、または最大で５ｗｔ％、または最大で４ｗｔ％、または最大で３．５ｗｔ％で存在することができ、一部の実施形態では、少なくとも０．５ｗｔ％、または少なくとも１ｗｔ％、または少なくとも１．５ｗｔ％、または少なくとも２ｗｔ％であってよい。
【００５８】
水は、エンジンの中で蒸発し、蒸気清浄効果を提供することができ、極性溶媒としての役割も果たし得る。
【００５９】
清浄剤／分散剤
１つまたは複数の清浄剤／分散剤が、任意選択で組成物中に存在する。例示的な清浄剤／分散剤は、１００〜１００００の数平均分子量を有する少なくとも１つの疎水性炭化水素部分と少なくとも１つの極性部分を有する両親媒性物質を含む。極性部分は、（ｉ）最大で６個の窒素原子、塩基性の特性を有する少なくとも１個の窒素原子を有するモノアミノおよびポリアミノ基；（ｉｉ）窒素原子のうちの少なくとも１個が塩基性の特性を有するモノまたはポリアミノ基と一緒になったヒドロキシル基；（ｉｉｉ）カルボン酸基またはそれらのアルカリ金属もしくはアルカリ土類金属塩；（ｉｖ）スルホン酸基またはそれらのアルカリ金属もしくはアルカリ土類金属塩；（ｖ）ヒドロキシル基、少なくとも１個の窒素原子が塩基性の特性を有するモノ−もしくはポリアミノ基、またはカルバメート基が末端となっている、ポリオキシ−Ｃ２〜Ｃ４アルキレン部分；（ｖｉ）カルボン酸エステル基；（ｖｉｉ）環状無水物、例えば無水コハク酸から誘導され、ヒドロキシルおよび／またはアミノおよび／またはアミドおよび／またはイミド基を有する部分；ならびに／あるいは（ｖｉｉｉ）置換フェノールとアルデヒドおよびモノ−またはポリアミンのマンニッヒ反応によって得られる部分から選択することができる。
【００６０】
例示的な清浄剤／分散剤添加剤中の疎水性炭化水素部分は、組成物中での清浄剤／分散剤の十分な溶解度を確実にするのを助ける。例としての炭化水素部分は、８５〜２０，０００、例えば少なくとも１００、または少なくとも３００、または少なくとも５００、または少なくとも７００、または少なくとも８００、一部の実施形態では、最大で１０，０００、または最大で５０００、または最大で３０００、または最大で２５００、または最大で１５００の数平均分子量（Ｍｎ）を有する。疎水性炭化水素部分の例には、少なくとも３００、または少なくとも５００、または少なくとも７００、または少なくとも８００、一部の実施形態では、最大で５０００、または最大で３０００、または最大で２５００、または最大で１５００の数平均分子量を有するポリプロペニル、ポリブテニルおよびポリイソブテニル部分が含まれる。
【００６１】
本明細書で有用な高い全塩基価（ＴＢＮ）の窒素含有清浄剤／分散剤の例には、スクシンイミド（ヒドロカルビル置換無水コハク酸とポリ（アルキレンアミン）の縮合生成物）が含まれる。スクシンイミド清浄剤／分散剤は、米国特許第４，２３４，４３５号および同第３，１７２，８９２号により完全に記載されている。
【００６２】
本明細書で有用な別のクラスの無灰分散剤は、ヒドロカルビルアシル化剤と、グリセロール、ペンタエリスリトールまたはソルビトールなどの多価脂肪族アルコールの反応によって調製される高分子量エステルである。そうした材料は、米国特許第３，３８１，０２２号に記載されている。
【００６３】
窒素含有清浄剤の例は、カルボン酸誘導アシル化剤とアミンの反応生成物である。アシル化剤は、ギ酸およびそのアシル化誘導体、ならびに炭素原子が最大で５，０００個、１０，０００個または２０，０００個の高分子量脂肪族置換基を有するアシル化剤から選択することができる。アミノ化合物は、アンモニア、ならびに炭素原子が最大で約３０個および窒素原子が最大で１１個の脂肪族置換基を有するアミンから選択することができる。本明細書で使用するのに適した１つのクラスのアシル化アミノ化合物には、炭素原子が少なくとも８個のヒドロカルビル置換基を有するアシル化剤と、少なくとも１つの一級または二級アミン基を含む化合物の反応によって形成されるものが含まれる。アシル化剤は、モノ−またはポリカルボン酸（またはその反応性同等物）、例えば置換されたコハク酸、フタル酸またはプロピオン酸であってよく、アミノ化合物は、ポリアミンまたはポリアミンの混合物、例えばエチレンポリアミンの混合物であってよい。あるいは、アミンは、ヒドロキシアルキル置換ポリアミンであってよい。そうしたアシル化剤中のヒドロカルビル置換基は、少なくとも１０個、または少なくとも１２個、または少なくとも３０個の炭素原子、一部の実施形態では、最大で２００個、または最大で５０個の炭素原子を含むことができる。アシル化剤のヒドロカルビル置換基は、少なくとも１７０、または少なくとも２５０、または少なくとも５００、または少なくとも７００、一部の実施形態では、最大で２８００、または最大で１５００、または最大で１３００、または最大で１１００の数平均分子量を有することができる。一実施形態では、ヒドロカルビル置換基は、７００〜１０００、例えば７００〜８５０、例えば７５０の数平均分子量を有する。この種の例示的な窒素含有清浄剤は、オレイン酸と、ジエタノールアミンまたはエタノールアミンなどのエタノールアミン誘導体の反応によって誘導される。
【００６４】
別のクラスの無灰分散剤はマンニッヒ塩基である。これらは、より高分子量のアルキル置換フェノールと、アルキレンポリアミンと、ホルムアルデヒドなどのアルデヒドとの縮合によって形成される材料であり、米国特許第３，６３４，５１５号に記載されている。
【００６５】
１つの有用な窒素含有分散剤は、（ａ）アルデヒド、（ｂ）アミンまたはポリアミン、および（ｃ）任意選択で置換されたフェノールの間のマンニッヒ反応の生成物である。フェノールは、マンニッヒ生成物が７５００未満、または２０００未満、または１５００未満、または１３００未満、または１２００未満、または１１００未満、または１０００未満、または９００未満、または８５０未満、または８００未満の分子量を有するように置換されている。置換フェノールは、芳香環上で、最大で４つの基で置換されていてよい。例えば、それはトリまたはジ置換フェノールであってよい。一実施形態では、それはモノ置換フェノールである。それは、オルトおよび／またはメタおよび／またはパラ位で置換されていてよい。マンニッヒ生成物を形成させるために、アルデヒドとアミンのモル比は、少なくとも１：１であってよく、最大で４：１、または最大で２：１であってよく；アルデヒドとフェノールのモル比は、少なくとも０．７５：１、または少なくとも１：１であってよく、最大で４：１、または最大で２：１であってよく；フェノールとアミンのモル比は、少なくとも１．５：１、または少なくとも１．６：１、または少なくとも１．７：１、または少なくとも１．８：１、または少なくとも１．９：１であってよく、最大で５：１、または最大で４：１、または最大で３．５：１、または最大で３．２５：１、または最大で３：１、または最大で２．５：１、または最大で２．３：１、または最大で２．１：１であってよい。
【００６６】
一例として、ポリイソブチレンベースのマンニッヒ清浄剤は、ホルムアルデヒドおよびジメチルアミンと反応された１０００ＭＷのポリイソブチレン−フェノールの反応によって形成させることができる。
【００６７】
他の適切な分散剤には、一般にポリマーに分散特性を付与するための極性官能基を含む炭化水素ベースのポリマーであるポリマー分散剤添加剤が含まれる。高いＴＢＮの窒素含有分散剤を調製するのに、アミンが一般的に使用される。１つまたは複数のポリ（アルキレンアミン）、例えば３〜５個のエチレン単位および４〜６個の窒素単位を有する１つまたは複数のポリ（エチレンアミン）を使用することができる。そうした材料には、トリエチレンテトラミン（ＴＥＴＡ）、テトラエチレンペンタミン（ＴＥＰＡ）およびペンタエチレンヘキサミン（ＰＥＨＡ）が含まれる。そうした材料は、一般に、ある範囲の数のエチレン単位および窒素原子を含む種々の異性体、ならびに種々の環状構造を含む様々な異性体構造の混合物として市販されている。ポリ（アルキレンアミン）は、同様に、エチレンアミン蒸留残物として工業界で公知の比較的高分子量のアミンを含むことができる。
【００６８】
本明細書で有用な他の清浄剤には、米国特許出願公開第２０１２０１３８００４号に記載されているような、アミド基またはエステル基を含み、四級化清浄剤が（ａ）清浄剤が第三アミン官能基を有するアミド基またはエステル基を含む非四級化清浄剤と（ｂ）エチレンオキシド、プロピレンオキシド、ブチレンオキシド、スチレンオキシドまたはその組合せなどの四級化剤との反応生成物である四級アンモニウム塩清浄剤、ならびに米国特許出願公開第２０１３０２３９４６８号に記載されているような、（ａ）第三アミノ基を含むポリエステルと（ｂ）第三アミノ基を四級窒素に転換させるのに適した四級化剤との反応生成物である四級化ポリエステル塩が含まれる。
【００６９】
別の有用な清浄剤は、直鎖状または分枝状アルケニル置換無水コハク酸または二塩基酸をジアルキルアルカノールアミンと、それぞれ約１：約（０．４〜１．２５）のモル比で、一実施形態では、それぞれ約１：（０．８〜１．２）のモル比で反応させることによって作製される。一例として、清浄剤は、ヘキサデセニル無水コハク酸をＮ，Ｎ−ジメチルエタノールアミンと、それぞれ約１：約（０．４〜０．６）の当量比（これは約１：約（０．８〜１．２）のモル比にも相当する）で、一実施形態では、それぞれ約１：０．５の当量比（約１：１のモル比）で反応させることによって作製される。
【００７０】
本明細書で有用な両親媒性分散剤には、１０〜５０個の炭素原子、例えば１０〜２５個の炭素原子を含むカルボン酸が含まれる。カルボン酸は直鎖状であっても分枝状であってもよい。それは、任意選択で他の官能基（ただし、これらの官能基は組成物中で安定であるものとする）を含むアリール酸、脂肪族酸またはアリール脂肪族酸から選択することができる。カルボン酸の例には、トール油、大豆、獣脂油、亜麻油の脂肪酸、オレイン酸、リノール酸、ステアリン酸およびその異性体、ペラルゴン酸、カプリン酸、ラウリン酸、ミリスチン酸、ドデシルベンゼンスルホン酸、エチル−２−ヘキサン酸、ナフテン酸およびヘキサン酸が含まれる。
【００７１】
組成物中に存在する場合、清浄剤および／または分散剤は、少なくとも０．５ｗｔ％、または少なくとも１ｗｔ％、または少なくとも１．５ｗｔ％、または少なくとも１．８ｗｔ％、または少なくとも２ｗｔ％の総濃度で存在してよく、組成物の最大で５５ｗｔ％、または最大で１０ｗｔ％、または最大で５ｗｔ％、または最大で４ｗｔ％、または最大で３ｗｔ％存在してよい。
【００７２】
一部の実施形態では、清浄剤を、ポリエーテル成分とプレミックスすることができる。１つのそうした混合物は、８ｗｔ％のポリイソブチレンベースのマンニッヒ清浄剤（ホルムアルデヒドおよびジメチルアミンと反応された１０００ＭＷのポリイソブチレン−フェノール）、４５ｗｔ％のポリエーテルアミン（プロピレンオキシドベースの）および溶媒（残り）を含む。
【００７３】
腐食防止剤
１つまたは複数の腐食防止剤が任意選択で組成物中に存在する。
【００７４】
本明細書で有用な腐食防止剤には、アミノアルコール、例えばイソプロパノールアミン、ジメチルエタノールアミンおよびトリエタノールアミン；アスコルビン酸；コハク酸ならびにアルキルおよびアルケニルコハク酸および無水物（例えば、Ｃ１０およびより高級なアルケニルまたはアルキルコハク酸および無水物、例えばドデセニルコハク酸およびポリイソブチレンコハク酸）または他の環状無水物およびそのポリマー；シクロペンチルおよびシクロヘキシルカルボン酸、例えばナフテン酸（Ｃ９〜Ｃ２０のシクロペンチルおよびシクロヘキシルカルボン酸の混合物）およびそれらの塩；ならびにそれらの混合物が含まれる。ナフテン酸塩の例には、ナフテン酸およびオレイン酸と、ポリエチレンアミンおよびエチレンオキシドの反応生成物が含まれる。
【００７５】
アルキルおよびアルケニルコハク酸／無水物の例には、ドデセニルコハク酸、および米国特許第５，０８０，６８６号に記載されているものが含まれる。
【００７６】
存在する場合、腐食防止剤は、組成物の０．０１〜５ｗｔ％または最大で３ｗｔ％の量で使用することができる。
【００７７】
他の添加剤
組成物中に、他の添加剤、例えば発泡剤、レオロジー調整剤、ｐＨ調整剤（酸および塩基などの）、抗微生物剤（例えば、殺真菌剤および殺菌剤）、酸化防止剤、着色剤、香料、希釈剤、噴射剤、その組合せ等を含めることができる。
【００７８】
燃料含量
一実施形態では、例示組成物は、イソオクタンをほとんどまたは全く有していない。例えば、例示組成物は、１０ｗｔ％以下または５ｗｔ％以下のＣ８脂肪族炭化水素、特にイソオクタンを含み得る。
【００７９】
他の実施形態では、そうした成分は、組成物の最大で５０ｗｔ％、または最大で３０ｗｔ％の濃度で存在することができる。
【００８０】
理解されるように、組成物の成分の一部は、清浄化組成物において２つまたはそれ超の役割を果たし得る。
【００８１】
表１は例示的な清浄化組成物を示す。
【表１】
0006700289.tif 000002
【００８２】
組成物３は、燃料レール清浄化組成物として使用するのに特に適しており、組成物４は空気取り入れ清浄化組成物として使用するのに特に適している。
【００８３】
レール清浄化に適した１つの具体的な組成物は、２０〜２５ｗｔ％の非極性芳香族溶媒、２０〜３０ｗｔ％の極性脂肪族溶媒（アルコールおよびアミンを３：１〜２：１のアルコール：アミンの比で含む）、１６〜２３ｗｔ％のポリエーテル、１５〜２２ｗｔ％の機能性溶媒、ならびに任意選択で腐食防止剤および／または清浄剤を含む。
【００８４】
空気取り入れ清浄化に適した１つの具体的な組成物は、１５〜２５ｗｔ％の非極性芳香族溶媒、２０〜４０ｗｔ％の極性脂肪族溶媒（アルコールおよびアミンを６：１〜２：１のアルコール：アミンの比で含む）、１２〜２０ｗｔ％のポリエーテル、１２〜４０ｗｔ％の機能性溶媒、ならびに任意選択で腐食防止剤および／または清浄剤を含む。別の実施形態では、空気取り入れ清浄化組成物は、ポリエーテルを含まなくてよいか、または実質的に含まなくてよい（５ｗｔ％未満、または１ｗｔ％未満、または０ｗｔ％のポリエーテル）。
【００８５】
本明細書で使用される、「ヒドロカルビル置換基」または「ヒドロカルビル基」という用語は、当業者に周知のその通常の意味で使用される。具体的には、これは、分子の残りの部分と直接結合している炭素原子を有し、支配的に炭化水素の特徴を有する基を指す。支配的に炭化水素の特徴とは、置換基中の原子の少なくとも７０％、または少なくとも８０％が水素または炭素であることを意味する。
【００８６】
ヒドロカルビル基の例には：
（ｉ）炭化水素置換基、すなわち、脂肪族（例えば、アルキル、アルケニルまたはアルキニル）、脂環式（例えば、シクロアルキル、シクロアルケニル）置換基、および芳香族、脂肪族および脂環式置換芳香族置換基、ならびに環が分子の別の部分を介して完結している（例えば、２つの置換基が一緒になって環を形成している）環状置換基；
（ｉｉ）置換炭化水素置換基、すなわち、本発明の関連で、置換基の支配的に炭化水素の性質を変えない非炭化水素基（例えば、ハロ（特にクロロおよびフルオロ）、ヒドロキシ、アルコキシ、メルカプト、アルキルメルカプト、ニトロ、ニトロソおよびスルホキシ）を含む置換基；
（ｉｉｉ）ヘテロ置換基、すなわち、支配的に炭化水素の特徴を有するが、炭素原子からなるべき環または鎖中に炭素以外のものを含み得る置換基
が含まれる。
【００８７】
代表的なアルキル基には、ｎ−ブチル、イソブチル、ｓｅｃ−ブチル、ｎ−ペンチル、アミル、ネオペンチル、ｎ−ヘキシル、ｎ−ヘプチル、第二級ヘプチル、ｎ−オクチル、第二級オクチル、２−エチルヘキシル、ｎ−ノニル、第二級ノニル、ウンデシル、第二級ウンデシル、ドデシル、第二級ドデシル、トリデシル、第二級トリデシル、テトラデシル、第二級テトラデシル、ヘキサデシル、第二級ヘキサデシル、ステアリル、イコシル、ドコシル、テトラコシル、２−ブチルオクチル、２−ブチルデシル、２−ヘキシルオクチル、２−ヘキシルデシル（2-hexydecyl）、２−オクチルデシル、２−ヘキシルドデシル、２−オクチルドデシル、２−デシルテトラデシル、２−ドデシルヘキサデシル、２−ヘキシルデシルオクチルデシル、２−テトラデシルオクチルデシル、モノメチル分枝状イソステアリルなどが含まれる。
【００８８】
代表的なアリール基には、フェニル、トルイル、キシリル、クメニル、メシチル、ベンジル、フェネチル、スチリル、シンナミル、ベンズヒドリル、トリチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル、ベンジルフェニル、スチレン化フェニル、ｐ−クミルフェニル、α−ナフチル、β−ナフチル基およびそれらの混合物が含まれる。
【００８９】
ヘテロ原子は、硫黄、酸素、窒素を含み、ピリジル、フリル、チエニルおよびイミダゾリルなどの置換基を包含する。一般に、ヒドロカルビル基において１０個の炭素原子ごとに２つ以下、一実施形態では、１つ以下の非炭化水素置換基が存在することになる。一部の実施形態では、ヒドロカルビル基中に非炭化水素置換基は存在しない。
【００９０】
送出システム
組成物は、適切な送出システムによって、エアロゾル、ミスト、霧、泡、噴霧、加圧された液体もしくは半液体または定量液滴として送出させることができる。例示的な送出システムは、測られた用量、例えば１００〜１０００ｍＬ、例えば少なくとも２００、または少なくとも３００、または少なくとも５００ｍＬ、あるいは最大で７００ｍＬ、例えば約５９０ｍＬ（約２０Ｕ．Ｓ．液量オンス）、または約３２５ｍＬ（約１１Ｕ．Ｓ．液量オンス）の組成物を保持する。
【００９１】
ポート燃料噴射式エンジンでは、それが稼働している間、燃料噴射器自体はエンジンへの送出速度を制御しながら、エンジンの方へ流れさせるのに十分な圧力を組成物に印加することによって、組成物を送出することができる。直接燃料噴射エンジンでは、組成物を、燃料噴射器を介してエンジンに直接送出することができる。別の実施形態では、組成物を、例えばエアロゾルの形態で、空気取り入れポートに送出することができる。ポート噴射システムまたは直接噴射システムのいずれかでは、これを、直接噴射器から燃料を同時に送出させながら行うことができる。さらなるクリーンアップをもたらすために、製品が、燃料噴射器を介して施用されるのと同時にまたは交互に、空気取り入れポートを通して送出される二重適用を実施することができる。ＰＦＩまたはＧＤＩエンジンシステムでは、清浄化組成物（単数または複数）を、燃料レールおよび／または空気取り入れストリームによって、車両搭載型投与デバイスを介して送出することもできる。
【００９２】
例えば、図１に示されているように、例示的な送出システム１は、加圧ガスが、所定量のクリーナー組成物１６を保持する円筒状リザーバー１４の入口ポート１２に入れるようにする圧力調整器１０を備える。クリーナー組成物は、弁または圧力調整器２０で調節されていてよい出口ポート１８を介してリザーバーを出る。可撓管２２は、出口ポート１８を、エンジンの燃料送出および／または空気取り入れシステムと連結している。
【００９３】
ＰＦＩエンジンに適した一実施形態（図２）では、クリーナー組成物を、燃料経路を通して、空気取り入れシステムのそれぞれの空気取り入れポート２６中へのクリーナーの導入を調節する燃料噴射器２４へ送出する。清浄化組成物は、空気取り入れ弁２８を通って燃焼室３０へ流れ込み、そこで、ピストンヘッド３２と接触し、スパークプラグ３４によって着火する。直接噴射システムでは、クリーナー組成物を、燃焼室へ直接噴射することができる。排ガスは、出口３６を通って燃焼室を出る。一部の実施形態では、排ガスを、適切な連結管（図示せず）によって入口１２へ再循環させることができる。
【００９４】
直接燃料噴射システムに適した別の実施形態（図３）では、クリーナー組成物を、燃料経路を通して燃料噴射器２４へ送出する。したがって、クリーナー組成物は、エンジン中に直接送出される。
【００９５】
直接燃料噴射システムに適しているが、ポート燃料噴射式システムで使用することもできる別の実施形態（図示せず）では、クリーナー組成物は、図１の装置からでなく、むしろ缶から適切に送出させることができる、例えばエアロゾルまたはミストとして、空気取り入れポート２６へ直接送出される。空気取り入れ清浄化組成物は、空気取り入れ弁２８を通って燃焼室に流れ込み、そこで、ピストンヘッド３２と接触し、スパークプラグ３４によって燃料と一緒に着火する。排ガスは、出口３６を通して燃焼室を出る。一部の実施形態では、排ガスを、適切な連結管（図示せず）によって入口１２へ再循環させることができる。直接噴射システムでは、クリーナー組成物を、図１の装置から噴射器２４を介して、燃焼室へ交互に直接噴射することができる。
【００９６】
一部の実施形態では、クリーナーが、燃料噴射器を介して施用されるのと同時に、空気取り入れポートを通して送出される、多重施用を実施する。このプロセスは、例えば、空気取り入れポートを通してクリーナーを施用し、続いて、燃料ポートを通して施用することによって逐次的に実施することもでき、また、その逆も同様である。この実施形態では、異なるクリーナー組成物および／または送出デバイスを使用することができる。
【００９７】
一部の実施形態では、圧力下で導入するのではなく、組成物は、エンジンで真空を引き込むことによって導入される。例えば、真空を、エンジン室の排出ポートなどの真空ポートにかけることができる。組成物は、エンジン室を通して組成物を引き込むために空気取り入れ管または燃料噴射器に取り付けられた管を通して引き込まれる。真空ポートでの真空は、少なくとも１６インチＨｇ、または少なくとも１８〜２２インチＨｇの真空度を提供することができる。
【００９８】
他の実施形態では、エンジンクリーナー組成物は、噴射剤の圧力下の耐圧容器中に提供される。本実施形態で使用される噴射剤は、組成物の成分に適合するものでなければならない。噴射剤は、酸素を含まないか、または酸素を実質的に含まない（１００ｐｐｍ未満の酸素）ものであってよい。噴射剤は、化学的に／酸化的に不活性であってよい。適切なエアロゾル噴射剤は、エンジンクリーナー組成物が放出されるとき、比較的一定の缶圧力を提供する。本明細書でのエアロゾル配合物で使用するのに適した噴射剤には、例えば、圧縮ガス、例えば窒素、二酸化炭素、空気および亜酸化窒素；液体炭化水素噴射剤、例えばプロパン、１−ブタン、２−ブタンおよびジメチルエーテルなどのＣ３〜Ｃ８炭化水素；クロロフルオロカーボン（ＣＦＣ）、ヒドロフルオロカーボン（ＨＦＣ）およびヒドロクロロフルオロカーボン（ＨＣＦＣ）、例えばＣＦＣ−１１、ＨＣＦＣ−２２、ＨＣＦＣ−１４２ｂ、ＨＣＦＣ−１５２ａ、ＨＦＣ−１２５、ＨＦＣ−２２７、およびヒドロフルオロアルカン（ＨＦＡ）、例えば１，１−ジフルオロエタン、ＨＦＡ１３４ａ（１，１，１，２−テトラフルオロエタン（tetrafluorethane））およびＨＦＡ２２７（１，１，１，２，３，３，３−ヘプタフルオロプロパン）；エーテル、例えばジメチルエーテル（ＤＭＥ）およびメチルエチルエーテル、フッ素化ジメチルエーテル、例えばビス（ジフルオロメチル）エーテル；ＳＦ６、塩化ビニルモノマーおよびそれらの混合物が含まれる。一実施形態では、ハロゲンを含む噴射剤は燃焼の間に酸を形成する可能性があるので、噴射剤はハロゲンを含まない。噴射剤の組合せを使用することができる。エアロゾル缶圧力は約１３０ｋＰａ〜約２４０ｋＰａの範囲であってよい。
【００９９】
一実施形態では、エンジンが稼働している間に、発泡性エアロゾル製品は、取り込みマニホールド中に導入され、弁と直接接触し、そこで泡は壊れ、金属部品および堆積物を湿潤させ、ポートおよび弁から堆積蓄積物を清浄化させる。清浄化剤は、溶解した堆積物と一緒になって、入ってくる空気流とともに燃焼室内部に運ばれ、燃焼室内で燃焼する。好都合なエアロゾル送出システムは、取り込みマニホールドの中へ容易に挿入されるように、延長ホースおよびノズルチップを備える。
【０１００】
本明細書で使用し得る例示的な送出システムは、例えば、米国特許出願公開第２００２０１０７１６１号、同第２００５０２２９９５２号、同第２００６０１２８５８９号、および同第２００８００１１３２７号、ならびに米国特許第５，１６１，３３６号、同第５，２５７，６０４号、同第６，０００，４１３号、同第６，６５５，３９２号、同第６，８３０，６３０号、同第６，９７８，７５３号および同第８，９２６，７６３号に記載されている。
【０１０１】
一部の実施形態では、組成物の送出に対して、タンク中で燃料と混合されてエンジンに入る燃料クリーナー添加剤組成物の燃料タンクへの添加が先行しても、かつ／またはそれが後続しても、あるいはそれが同時であってもよい。したがって、燃料と燃料添加剤組成物の混合物は、添加剤を、低濃度で、一般に、本組成物中で使用される添加剤（可燃性溶媒を除く）の最大で１０％の全添加剤濃度で含む。これは、実質的にそのままの形態でエンジンへ導入される。
【０１０２】
この目的に適した燃料クリーナー組成物の例は、例えば、米国特許出願公開第２００２００２３３８３号、同第２００６０２７２５９７号および同第２０１００１０７４８４号に記載されている。
【０１０３】
例示的な清浄化組成物で清浄化されることになる火花点火式内燃エンジンのコンポーネント（単数または複数）には、空気取り入れポート、燃料噴射器、空気取り入れ弁、スパークプラグ、ピストンヘッドおよび燃焼室の表面が含まれる。
【０１０４】
内燃エンジンは、ディーゼル燃料エンジン（大型車両用ディーゼルエンジンなど）、ガソリン燃料エンジン、天然ガス燃料エンジン、混合ガソリン／アルコール燃料エンジン、ケロシン燃料エンジン、灯油燃料エンジンまたはバイオディーゼル燃料エンジンであってよい。内燃エンジンは、２ストロークまたは４ストロークエンジンであってよい。適切な内燃エンジンには、船舶用ディーゼルエンジン、航空ピストンエンジン、低負荷ディーゼルエンジン、定置型エンジンならびに自動車およびトラックエンジンが含まれる。一実施形態では、内燃エンジンはガソリン直接噴射式（ＧＤＩ）エンジンである。組成物は、定置型エンジンを清浄化するために使用することもできる。
【０１０５】
例示的実施形態の範囲を限定しようとするものではないが、以下の実施例は、清浄化組成物およびそれらの性能を例示する。
【実施例】
【０１０６】
候補組成物は、既存の燃料システム清浄化製品の性能に匹敵するかまたはそれを凌駕するように設計される。エンジンがクリーナー溶液で動作するので、清浄化組成物はすべて、燃焼を持続させるのに十分な可燃性溶媒（キシレン、トルエン、イソプロパノール）を含む。他の成分は、清浄剤、機能性溶媒、腐食防止剤、燃料、他の添加剤および水から選択される。
【０１０７】
別段の指定のない限り、以下の構成要素はＬｕｂｒｉｚｏｌ  Ｃｏｒｐｏｒａｔｉｏｎ、Ｗｉｃｋｌｉｆｆｅ  ＯＨから得られる。
【０１０８】
可燃性溶媒
非極性（芳香族）溶媒：Ａｍｅｒｉｃａｎ  Ｒｅｆｉｎｉｎｇ  Ｇｒｏｕｐから得られるトルエン、キシレン；石油ナフサ。
【０１０９】
極性（脂肪族）溶媒：イソプロパノール、２−エチルヘキサノール、モルホリン（Ｕｎｉｖａｒ  Ｉｎｃ．、Ｄｏｗｎｅｒｓ  Ｇｒｏｖｅ、ＩＬから得られる）、オレイルアミン。
【０１１０】
ポリエーテルおよびポリエーテルアミン
ブチレンオキシドによる平均約１８〜２２個の繰り返し単位を有する支配的にＣ１３のアルコールを含むアルコール混合物からのポリエーテルのシアノエチル化および水素化によって調製される、ブチレンオキシドベースのポリエーテルアミン（ＢＰＥＡ）。
【０１１１】
プロピレンオキシドによる平均２４個の繰り返し単位を有するＣ１２〜１５アルコールからのポリエーテルのシアノエチル化および水素化によって調製される、プロピレンオキシドベースのポリエーテルアミン（ＰＰＥＡ）。
【０１１２】
プロピレンオキシドによる平均２４個の繰り返し単位を有するＣ１２〜１５アルコールから調製されるポリエーテルである、プロピレンオキシドベースのポリエーテル（ＰＰＥ）。
【０１１３】
機能性溶媒
Ｔｅｃｈｎｉｃａｌ  Ｐｒｏｄｕｃｔｓ，Ｉｎｃ．、Ｃｌｅｖｅｌａｎｄ  ＯＨから得られるブチルセロソルブ（２−ブトキシエタノール）。
【０１１４】
ＢＡＳＦから得られる１−メチル−２−ピロリドン。
【０１１５】
Ａｋｚｏ  Ｎｏｂｅｌから得られるオレイルアミン（（Ｚ）−オクタデカ−９−エニルアミン）。
【０１１６】
水
蒸留されたもの。
【０１１７】
清浄剤
ポリイソブチレン（ＰＩＢ）ベースのマンニッヒ清浄剤（ホルムアルデヒドおよびジメチルアミンと反応された１０００ＭＷのＰＩＢ−フェノール）（９０ｗｔ％、１０ｗｔ％石油ナフサ）。
【０１１８】
ポリイソブチレンベースの四級アミン（７４ｗｔ％アミン、２６ｗｔ％  ２−エチルヘキサノール（機能性溶媒としての役割を果たす））。
【０１１９】
Ｎ，Ｎ−ジメチルエタノールアミン（Ｎ，Ｎ−ＤＭＥＡ）とのヘキサデセニル無水コハク酸生成物。
【０１２０】
腐食防止剤
ナフテン酸塩（ナフテン酸およびオレイン酸とポリエチレンアミンおよびエチレンオキシドの反応によって形成される混合物）（６５ｗｔ％、９ｗｔ％鉱油）。
【０１２１】
ドデセニルコハク酸（４−［（Ｅ）−ドデカ−１−エノキシ］−４−オキソブタン酸）（６１ｗｔ％、３９ｗｔ％鉱油）。
【０１２２】
ポリイソブチレンコハク酸（８５ｗｔ％、１５ｗｔ％鉱油）。
【０１２３】
Ｕｎｉｖａｒ  Ｉｎｃ.から得られるトリエタノールアミン。
【０１２４】
他の添加剤
Ｕｎｉｖａｒ  Ｉｎｃ．、Ｄｏｗｎｅｒｓ  Ｇｒｏｖｅ、ＩＬから得られる塩基、水酸化アンモニウム（２６ｗｔ％、７４ｗｔ％水）。
【０１２５】
Ａｋｚｏ  Ｎｏｂｅｌから商標名Ａｒｏｍｏｘ（登録商標）Ｔ／１２ＤＰＭのもとで得られるビス−（２ヒドロキシエチル）タローアルキルアミンオキシド（６４ｗｔ％、３６ｗｔ％のジプロピレングリコール、メチルエーテルおよび水の溶液。Ａｒｏｍｏｘ（登録商標）Ｔ／１２ＤＰＭは、酸脱脂剤、発泡促進剤およびレオロジー調整剤としても機能する。
【０１２６】
例示組成物（あらゆる噴射剤を除く）を表２に示す。ここで、すべての重量パーセンテージは、有効成分ベースで表される（成分がニートでない場合、括弧内に示されている）。
【表２−１】
0006700289.tif 000003
【表２−２】
0006700289.tif 000004
【表２−３】
0006700289.tif 000005
【表２−４】
0006700289.tif 000006
【０１２７】
配合物１７〜１９は、空気取り入れクリーナーとして使用するのに特に適している。
【０１２８】
性能試験を、２台の試験車両を使用して実施する。これら２台の標準試験車両は、２０１１  Ｃｈｅｖｒｏｌｅｔ  ＨＨＲ（ＰＦＩ）および２００８  Ｖｏｌｋｓｗａｇｅｎ  Ｊｅｔｔａ（ＧＤＩ）である。Ｃｈｅｖｒｏｌｅｔは、取り入れ弁堆積物（ＩＶＤ）および燃焼室堆積物（ＣＣＤ）クリーンアップ（噴射器汚染は限定されている）の測定を容易にする一方で、Ｊｅｔｔａは、噴射器の流れおよびＣＣＤのクリーンアップデータ（ＧＤＩ設計のため、ＩＶＤクリーンアップが限定されている）を提供する。両方の車両で試験する前に、エンジンを分解し、その燃焼室を完全に清浄にする。次いで、それらを、新しいスパークプラグおよび新しい弁を用いて再度組み立てた。
【０１２９】
堆積物を構築させるために、車両を、Ｈａｌｔｅｒｍａｎｎから得られる特別に配合された参照燃料（清浄剤添加剤を含まない無鉛ベースのガソリン）で２５００マイル走行させる。走行サイクルは、その他は、ASTM  D5500-98(2014)、Standard  Test  Method  for  Vehicle  Evaluation  of  Unleaded  Automotive  Spark-Ignition  Engine  Fuel  for  Intake  Valve  Deposit  Formation、ASTM  International、West  Conshohocken、PA、2014年、DOI:  10.1520/D5500-98R14に記載されている通りである。
【０１３０】
走行サイクルの後、エンジンを再度分解し、蓄積した堆積物を測定し秤量する。エンジンを再度組み立て、燃料システム清浄化手順にかけて堆積物を除去する。このため、例示組成物を、燃料レールに取り付けた図１に示すような装置を使用して燃料システムへ送出させる。測定の前後に、取り入れ弁堆積物、ピストン頂面堆積物厚さおよびシリンダーヘッド堆積物厚さについて報告する。クリーンアップのパーセンテージ（ＣＵ％）結果を、これらの値から
【数１】
0006700289.tif 000007
として計算する。
【０１３１】
上記式において、値は重量または厚さであってよい。実施例組成物のいくつかについての結果を表３にまとめる。ＣＵ％結果を比較した場合、例示組成物が、比較製品（Ｃｏｍｐ．Ｅｘ．Ａ、Ｃｏｍｐ．Ｅｘ．ＢおよびＣｏｍｐ．Ｅｘ．Ｃと表示されている）より性能が優れていることは明らかである。ＩＶＤ除去に関して、例示組成物についてのＣＵ％結果が２２〜４０％の範囲であるのに対して、比較製品については１４〜２４％である。ピストン頂面堆積物除去に関して、例示組成物についてのＣＵ％結果が３４〜８７％の範囲であるのに対して、比較製品については１４〜４３％である。シリンダーヘッド堆積物除去に関して、例示組成物についてのＣＵ％が４６〜６５％の範囲であるのに対して、比較製品については１０〜３０％である。Ａｖ．ＣＵは、ピストン頂面とシリンダーヘッドのＣＵパーセントの平均である。
【表３】
0006700289.tif 000008
【０１３２】
ＨＨＲは噴射器汚染をもたらさなかったので、Ｊｅｔｔａでの試験を、噴射器クリーンアップを判定するために実施する。試験手順は、Ｃｈｅｖｒｏｌｅｔについて説明したものに従う。Ｊｅｔｔａでの実施例組成物の一部についての結果を表４にまとめる。
【表４】
0006700289.tif 000009
【０１３３】
ＪｅｔｔａでのクリーンアップについてＣＵ％結果を比較すると、例示組成物は、比較製品（Ｃｏｍｐ．Ｅｘ．Ｄと表示）と同様の性能を発揮している。噴射器の流れはすべての場合において回復している。ピストン頂面堆積物除去に関して、例示組成物についてのＣＵ％結果が８４〜９３％の範囲であるのに対して、比較製品については８８％である。シリンダーヘッド堆積物除去に関して、例示組成物についてのＣＵ％が４６〜６５％の範囲であるのに対して、比較製品については６９％である。Ａｖ．ＣＵは、ピストン頂面とシリンダーヘッドのＣＵパーセントの平均である。
【０１３４】
配合物１９は、直接噴射式エンジンを有する車両での試験運転における空気取り入れクリーナーとして使用するのに特に適しているようである（配合物は、さらなる空気取り入れクリーンアップを提供するためにポート燃料噴射で使用することもできる）。以下の表５は、空気取り入れ清浄化の間に、Ｊｅｔｔａにおいて観察されたクリーンアップを例示する。この評価は、取り入れ弁についての指向性クリーンアップ性能を例示しており、Ｃｈｅｖｒｏｌｅｔについて上記した手順に従っている。
【表５】
0006700289.tif 000010
【０１３５】
取り入れ弁ＣＵ％結果を比較すると、例示組成物が、比較製品（Ｃｏｍｐ．Ｅｘ．Ｄ、Ｃｏｍｐ．Ｅｘ．ＥおよびＣｏｍｐ．Ｅｘ．Ｆと表示）を凌ぐ性能を発揮していることは明らかである。ＩＶＤ除去に関して、例示組成物についてのＣＵ％結果が９〜２９％の範囲であるのに対して、比較製品については８〜１０％である。
【０１３６】
性能試験を現場車両においても実施した。これらの車両は、ポート燃料噴射式または直接噴射式燃料送出システムを備えた現在の市場での代表的な車両である。表６に挙げた車両は、変更のない「そのまま」の堆積物を有しており、ＴｅｘａｓおよびＯｈｉｏの車両市場から選択されたものであった。クリーンアップ試験測定を、２０１１  Ｃｈｅｖｒｏｌｅｔ  ＨＨＲでの性能試験について先に説明したようにして実施する。以下の車両（括弧内にエンジンサイズ、エンジン型式、噴射器型式および走行可能距離が示されている）を試験した：
車両A:2008  Jeep  Compass(2.4L  I-4、PFI、96.3Kマイル)
車両B:2004  Chevrolet  Suburban(8.2L  V8、PFI、87.7Kマイル)
車両C:2012  Ford  Edge(2.0L  ターボ  I-4、GDI、31.8Kマイル)
車両D:2013  Kia  Sportage(2.0L  ターボ  I-4、GDI、54.6Kマイル)
車両E:2013  Chevrolet  Impala(3.6L  V6、GDI、43.7Kマイル)
車両F:2014  Chevrolet  Camaro(3.6L  V6、GDI、22.8Kマイル)
車両G:2011  Hyundai  Sonata(2.4L  I-4、GDI、67.1Kマイル)
車両H:2011  Chevrolet  Equinox(2.4L  I-4、GDI、98.7Kマイル)
車両I:2013  Honda  Accord(2.4L  I-4、GDI、29.6Kマイル)
車両J:2013  Kia  Soul(1.6L  I-4、GDI、65.6Kマイル)
車両K:2012  Ford  Focus(2.0L  I-4、GDI、89.5Kマイル)
車両L:2011  Audi  A4(2.0L  ターボ  I-4、GDI、67.5Kマイル)
車両M:2013  Ford  F-150(3.5L  ツインターボ  V6、GDI、82.0Kマイル)
車両N:2013  Mini  Cooper  S(1.6L  ターボ  I-4、GDI、27.6Kマイル)
車両O:2012  Mini  Cooper  Countryman(1.6L  ターボ  I-4、GDI、68.7Kマイル)
【表６】
0006700289.tif 000011
【０１３７】
平均ＣＵ％は、最初の１３台の車両についてのピストン頂面とシリンダーヘッドのＣＵパーセントの平均である。平均ＣＵ％結果を比較すると、例示組成物が、様々な多くの現場車両において顕著な性能データを提供していることは明らかである。ＩＶＤ除去に関して、例示組成物についての平均ＣＵ％結果は４０．９％である。ピストン頂面堆積物除去に関して、例示組成物についての平均ＣＵ％結果は５４．６％である。シリンダーヘッド堆積物除去に関して、例示組成物についての平均ＣＵ％は５１．３％である。
【０１３８】
上記で参照した文献のそれぞれを参照により本明細書に組み込む。実施例、あるいは別途明確に示されている場合を除いて、材料の量、反応条件、分子量、炭素原子数などを指定する本明細書におけるすべての数量は、「約（about）」という言葉で修飾されているものと理解すべきである。別段の指定のない限り、本明細書で参照される各化学品または組成物は、異性体、副生成物、誘導体、および商用グレードにおいて通常存在していると理解されるような他の材料を含み得る商用グレードの材料であるものと解釈されるべきである。しかし、各化学成分の量は、別段の指定のない限り、市販材料中に慣用的に存在し得る任意の溶媒または希釈油を除いて表される。本明細書で示される量、範囲および比の上限値および下限値は、独立に組み合わせ得ることを理解されたい。同様に、本発明の各要素についての範囲および量は、他の要素のいずれかについての範囲または量と一緒に使用することができる。
【０１３９】
上記に開示されたおよび他の特徴および機能の変形体またはその代替物を組み合わせて、多くの他の異なるシステムまたはアプリケーションにすることができることを理解されよう。現在は予見も予期もされていない様々な代替、改変、変更または改善を、当業者が後に施すことができ、これらもやはり、以下の特許請求の範囲によって包含されるものとする。
一実施形態において、例えば、以下の項目が提供される。
（項目１）
ポリエーテル、ポリエーテルアミンおよびそれらの混合物からなる群から選択される、少なくとも３ｗｔ％のポリエーテル成分；
少なくとも５ｗｔ％の極性溶媒；ならびに
少なくとも５ｗｔ％の非極性溶媒
を含む清浄化組成物。
（項目２）
前記ポリエーテル成分がポリ（アルキレンオキシド）アミンを含む、項目１に記載の組成物。
（項目３）
前記アルキレンオキシドが、ブチレンオキシドおよびプロピレンオキシドのうちの少なくとも１つを含む、項目２に記載の組成物。
（項目４）
前記ポリエーテルまたはポリエーテルアミンが、式Ｒ［ＯＣＨ２ＣＨ（Ｒ１）］ｎＡで表され、式中、Ｒはドロカルビル基であり、Ｒ１は水素およびヒドロカルビル基から選択され、Ａは窒素含有基またはヒドロキシル基であり、ｎは少なくとも２である数である、項目１〜３のいずれか一項に記載の組成物。
（項目５）
Ｒは、炭素原子が１〜３０個のヒドロカルビル基である、項目４に記載の組成物。
（項目６）
Ｒ１は、炭素原子が１〜１６個のヒドロカルビル基である、項目４または５に記載の組成物。
（項目７）
Ｒ１がアルキル基である、項目４〜６のいずれか一項に記載の組成物。
（項目８）
ｎが、少なくとも１０、または少なくとも１６、または少なくとも１８、あるいは最大で５０、または最大で３８、または最大で２８、または最大で２６、または最大で２４である、項目４〜７のいずれか一項に記載の組成物。
（項目９）
Ａがアミン、エーテルアミンおよびそれらの混合物から選択される、項目４〜８のいずれか一項に記載の組成物。
（項目１０）
Ａが−ＯＣＨ２ＣＨ２ＣＨ２ＮＲ２Ｒ２および−ＮＲ３Ｒ３から選択され、式中、各Ｒ２は独立に、水素、または炭素原子が１個もしくは複数個のヒドロカルビル基であり、各Ｒ３は独立に、水素、炭素原子が１個もしくは複数個のヒドロカルビル基、または−［Ｒ４（Ｒ５）］ｐＲ６（式中、Ｒ４はＣ２〜Ｃ１０アルキレンであり、Ｒ５およびＲ６は独立に、水素、または炭素原子が１個もしくは複数個のヒドロカルビル基であり、ｐは１〜７の数である）である、項目９に記載の組成物。
（項目１１）
ＡがＯＨである、項目４〜８のいずれか一項に記載の組成物。
（項目１２）
前記ポリエーテル成分が、前記組成物の少なくとも４ｗｔ％、または少なくとも５ｗｔ％、または少なくとも６ｗｔ％、または少なくとも８ｗｔ％、または少なくとも１０ｗｔ％、または少なくとも１１ｗｔ％、または少なくとも１５ｗｔ％、あるいは最大で４０ｗｔ％、または最大で２７ｗｔ％、または最大で２５ｗｔ％、または最大で２３ｗｔ％、または最大で２１ｗｔ％である、項目１〜１１のいずれか一項に記載の組成物。
（項目１３）
前記ポリエーテル成分の少なくとも２０ｗｔ％、または少なくとも５０ｗｔ％、または少なくとも９０ｗｔ％がポリエーテルアミンである、項目１〜１２のいずれか一項に記載の組成物。
（項目１４）
前記極性溶媒および非極性溶媒が、合わせて、前記組成物の少なくとも３０ｗｔ％、または少なくとも３５ｗｔ％、または少なくとも４０ｗｔ％、または少なくとも４５ｗｔ％、あるいは最大で９０ｗｔ％、または最大で８０ｗｔ％、または最大で７５ｗｔ％、または最大で７０ｗｔ％、または最大で６０ｗｔ％、または最大で５５ｗｔ％、または最大で５０ｗｔ％である、項目１〜１３のいずれか一項に記載の組成物。
（項目１５）
前記組成物における前記極性溶媒と前記非極性溶媒の重量比が、少なくとも１：５、または少なくとも１：４、または少なくとも１：３、または少なくとも１：２、あるいは最大で５：１、または最大で４：１、または最大で３：１、または最大で２：１である、項目１〜１４のいずれか一項に記載の組成物。
（項目１６）
前記極性溶媒が、脂肪族プロトン性極性溶媒、脂肪族非プロトン性極性溶媒および芳香族極性溶媒のうちの少なくとも１つを含む、項目１〜１５のいずれか一項に記載の組成物。
（項目１７）
前記極性溶媒が、分枝状および非分枝状Ｃ１〜Ｃ１２脂肪族アルコール、Ｃ１〜Ｃ１２脂肪族アミンおよびそれらの混合物から選択される脂肪族プロトン性極性溶媒を含む、項目１６に記載の組成物。
（項目１８）
前記極性溶媒が、エーテルから選択される脂肪族非プロトン性極性溶媒を含む、項目１６〜１７のいずれか一項に記載の組成物。
（項目１９）
前記極性溶媒が、エーテルおよびアミンから選択される芳香族極性溶媒を含む、項目１６〜１８のいずれか一項に記載の組成物。
（項目２０）
前記極性溶媒が、前記組成物の少なくとも５ｗｔ％、または少なくとも１０ｗｔ％、または少なくとも１５ｗｔ％、または少なくとも２０ｗｔ％、あるいは最大で６０ｗｔ％、または最大で５０ｗｔ％、または最大で４５ｗｔ％、または最大で４０ｗｔ％、または最大で３５ｗｔ％、または最大で３０ｗｔ％、または最大で２７ｗｔ％である、項目１〜１９のいずれか一項に記載の組成物。
（項目２１）
前記非極性溶媒が芳香族非極性溶媒を含む、項目１〜１８のいずれか一項に記載の組成物。
（項目２２）
前記芳香族非極性溶媒が、Ｃ１〜Ｃ４アルキル置換ベンゼンおよびそれらの混合物から選択される炭化水素を含む、項目１〜２１のいずれか一項に記載の組成物。
（項目２３）
前記非極性溶媒が、前記組成物の少なくとも１０ｗｔ％、または少なくとも１５ｗｔ％、または少なくとも２０ｗｔ％、あるいは最大で６５ｗｔ％、または最大で５０ｗｔ％、または最大で４５ｗｔ％、または最大で４０ｗｔ％、または最大で３５ｗｔ％、または最大で３０ｗｔ％、または最大で２７ｗｔ％である、項目１〜２０のいずれか一項に記載の組成物。
（項目２４）
前記非極性溶媒が、最大で２ＭＰａ１／２、または最大で１．５ＭＰａ１／２、または最大で１．４ＭＰａ１／２、または最大で１．２ＭＰａ１／２、または最大で１．０ＭＰａ１／２のハンセン溶解パラメーターを有する、項目１〜２３のいずれか一項に記載の組成物。
（項目２５）
前記極性溶媒が、少なくとも２．８ＭＰａ１／２、または少なくとも３ＭＰａ１／２、または少なくとも４ＭＰａ１／２、または少なくとも５ＭＰａ１／２、または少なくとも６ＭＰａ１／２のハンセン溶解パラメーターを有する、項目１〜２４のいずれか一項に記載の組成物。
（項目２６）
前記ポリエーテル成分、極性溶媒および非極性溶媒が、合わせて、前記組成物の少なくとも６０ｗｔ％、または少なくとも７０ｗｔ％、または少なくとも７５ｗｔ％、あるいは最大で９５ｗｔ％、または最大で９０ｗｔ％、または最大で８５ｗｔ％である、項目１〜２５のいずれか一項に記載の組成物。
（項目２７）
グリコール、ケトン、環状アミド、エステル、アセテート、およびグリコール、エーテル、ケトン、環状アミド、エステル、アセテートから選択される官能基の組合せを有する溶媒、ならびにそれらの混合物から選択される機能性溶媒をさらに含む、項目１〜２６のいずれか一項に記載の組成物。
（項目２８）
前記機能性溶媒がアルコキシアルコールを含む、項目２７に記載の組成物。
（項目２９）
前記アルコキシアルコールが前記組成物中に少なくとも１０ｗｔ％の濃度で存在する、項目２６に記載の組成物。
（項目３０）
前記アルコキシアルコールが２−ブトキシエタノールを含む、項目２６または２７に記載の組成物。
（項目３１）
前記機能性溶媒が、前記組成物の少なくとも１ｗｔ％、または少なくとも２ｗｔ％、または少なくとも３ｗｔ％、または少なくとも５ｗｔ％、または少なくとも８ｗｔ％、または少なくとも１０ｗｔ％、あるいは最大で４０ｗｔ％、または最大で３０ｗｔ％、または最大で２５ｗｔ％、または最大で２０ｗｔ％、または最大で１５ｗｔ％である、項目２７〜３０のいずれか一項に記載の組成物。
（項目３２）
前記機能性溶媒が、極性脂肪族溶媒および前記非極性溶媒中で少なくとも１０重量部の機能性溶媒の溶解度を有する、項目２７〜３１のいずれか一項に記載の組成物。
（項目３３）
清浄剤および／または分散剤をさらに含む、項目１〜３２のいずれか一項に記載の組成物。
（項目３４）
前記清浄剤および／または分散剤が、合わせて、前記組成物の少なくとも０．５ｗｔ％、または少なくとも１ｗｔ％、または少なくとも１．５ｗｔ％、または少なくとも１．８ｗｔ％、または少なくとも２ｗｔ％、あるいは最大で５５ｗｔ％、または最大で１０ｗｔ％、または最大で５ｗｔ％、または最大で４ｗｔ％、または最大で３ｗｔ％である、項目３３に記載の組成物。
（項目３５）
少なくとも０．５ｗｔ％の水をさらに含む、項目１〜３４のいずれか一項に記載の組成物。
（項目３６）
前記水が、前記組成物の少なくとも１ｗｔ％、または少なくとも１．５ｗｔ％、または少なくとも２ｗｔ％、あるいは最大で１０ｗｔ％、または最大で５ｗｔ％、または最大で４ｗｔ％、または最大で３．５ｗｔ％である、項目３５に記載の組成物。
（項目３７）
腐食防止剤および噴射剤のうちの少なくとも１つをさらに含む、項目１〜３６のいずれか一項に記載の組成物。
（項目３８）
内燃エンジン中の空気取り入れ弁堆積物、燃料噴射器堆積物および燃焼室堆積物のうちの少なくとも１つを除去する方法であって、項目１〜３７のいずれか一項に記載の組成物で前記エンジンを動作させる工程を包含する、方法。
（項目３９）
燃料送出システムおよび空気取り入れシステムのうちの少なくとも１つを清浄化するための、項目１〜３７のいずれか一項に記載の組成物の使用。
【図１】
0006700289.tif 000012
【図２】
0006700289.tif 000013
【図３】
0006700289.tif 000014